(57)【要約】      （修正有）【課題】カバー体の外側に設けた表示モジュールにより、警告作用を生じさせることができる、表示及発光機能を備えたＣＣＴＶ監視装置を提供する。【解決手段】カバー体１１と、前記カバー体の一側箇所に設けられた表示モジュール１２と、前記カバー体の一側箇所に設けられた複数の発光モジュール１３と、からなる。前記監視装置は、更に、表示モジュール及び発光モジュールに電流を提供する電源供給モジュールを備える。前記カバー体は、撮影ユニットを被覆する。【選択図】図１
0003181291.tif 000002
【実用新案登録請求の範囲】
【請求項１】
カバー体と、表示モジュールと、複数の発光モジュールとからなる表示及発光機能を備えた表示及発光機能を備えたＣＣＴＶ監視装置であって、
前記カバー体は、収容空間を備え、
前記表示モジュールは、前記カバー体の一側箇所に設けられ、
前記発光モジュールは、前記カバー体の一側箇所に設けられることを特徴とする、表示及発光機能を備えたＣＣＴＶ監視装置。
【請求項２】
前記監視装置は、球型撮影装置及び標準型撮影装置の内の一つであることを特徴とする、請求項１に記載の表示及発光機能を備えたＣＣＴＶ監視装置及びカバー体。
【請求項３】
前記カバー体は半球型の透明体であることを特徴とする、請求項２に記載の表示及発光機能を備えたＣＣＴＶ監視装置及びカバー体。
【請求項４】
前記カバー体は長方体であることを特徴とする、請求項２に記載の表示及発光機能を備えたＣＣＴＶ監視装置及びカバー体。
【請求項５】
前記監視装置は、さらに、電源供給モジュールを備え、前記電源供給モジュールは、それぞれ、前記表示モジュール及び前記発光モジュールに電流を供給することを特徴とする、請求項１に記載の表示及発光機能を備えたＣＣＴＶ監視装置及びカバー体。
【請求項６】
前記カバー体は、撮影ユニットを被覆することを特徴とする、請求項１に記載の表示及発光機能を備えたＣＣＴＶ監視装置及びカバー体。
【考案の詳細な説明】
【技術分野】
【０００１】
本考案は表示及発光機能を備えたＣＣＴＶ監視装置及びカバー体に関し、特に外観が人の目を引くとともに、メッセージを表示することができる、表示及び発光機能を備えたＣＣＴＶ監視装置及びカバー体に関する。
【背景技術】
【０００２】
一般的な監視装置は、撮影装置モジュールと、防護カバーと、電源モジュールとからなる。その内、防護カバーは、前記撮影装置モジュールが外の環境にさらされて起こる影響（例えば、環境内に湿気及び汚染物が含まれていることにより、前記撮影装置モジュールのレンズと内部回路が損耗し、前記監視装置の使用寿命が短くなる）ことから保護する。このことから分かるように前記防護カバーは、省くことができない重要な機能をもつ構成部材である。
【０００３】
しかしながら、上述の監視装置を使用すると、以下の問題及び欠点が存在するため、改良が待たれている。
【０００４】
１、従来の監視装置は、当時の状況を復元してどのような状況だったから判断する証拠になるものの、この監視装置は、ほとんどが高い所に設けられるため、犯罪を起こす可能性がある人への警告作用とはならず、不必要な損失が発生するのを避けることができない。
【０００５】
２、監視装置が故障した時、外観から故障を検出することができず、人の手で検査機器を使って監視装置の故障の検出を行うしかないため、検出が極めて不便である。
【考案の概要】
【考案が解決しようとする課題】
【０００６】
本考案は、カバー体の外側に設けた表示モジュールにより、警告作用を生じさせることができる、表示及発光機能を備えたＣＣＴＶ監視装置を提供することを目的とする。
【課題を解決するための手段】
【０００７】
上述の目的を達成するために、本考案による表示及発光機能を備えたＣＣＴＶ監視装置及びカバー体は、カバー体と、前記カバー体の一側箇所に設けられた表示モジュールと、前記カバー体の一側箇所に設けられた複数の発光モジュールと、からなる。前記監視装置は、更に、表示モジュール及び発光モジュールに電流を提供する電源供給モジュールを備える。前記カバー体は、撮影ユニットを被覆する。
【考案の効果】
【０００８】
上述の構造により、前記監視装置を使用すると、一側箇所に設けられた表示モジュール及び発光モジュールにより、文字が表示されるとともに光が点滅する。このように、本考案は、外観が目を引くとともに、メッセージを表示することがえきるため、実用進歩性を備えている。
【図面の簡単な説明】
【０００９】
【図１】本考案の実施例１を示した斜視図である。
【図２】本考案の実施例２を示した斜視図である。
【考案を実施するための形態】
【００１０】
図１と図２は、本考案による実施例１の斜視図と、実施例２の斜視図である。下記の図から分かるように、本考案は、表示及発光機能を備えたＣＣＴＶ監視装置及びカバー体の実施例１と実施例２は以下の構成部材からなる。
【００１１】
（実施例１）
図１を参照する。本考案の実施例１は、球型撮影装置１である。球型撮影装置１は、カバー体１１と、表示モジュール１２と、表示面１２１と、複数の発光モジュール１３と、取り付け台座１４とからなる。その内、カバー体１１は、半球型の透明体であり、その内部は、収容空間を備え、収容空間は撮影ユニット（図示せず）を被覆する。前記半球型の透明体は、断面を備え、取り付け台座１４の一側に連結される。表示モジュール１２は、カバー体１１の環状面に設けられ、表示モジュール１２の表示面１２１は、カバー体１１の外環状面から露出する。発光モジュール１３は、カバー体１１の環状面に環状に設けられ、発光モジュール１３の発光部は、カバー体１１の外環状面の方向を向いている。
【００１２】
（実施例２）
図２を参照する。本考案の実施例２は、標準型撮影装置２である。標準型撮影装置２は、カバー体２１と、表示モジュール２２と、表示面２２１と、複数の発光モジュール２３と、取り付け台座２４とからなる。カバー体２１は、長方体であり、その内部は、撮影ユニット２１１を被覆する収容空間を形成する。カバー体２１の一端には窓部２２２が設けられ、表示モジュール２２は、カバー体２１のいずれかの面に設けられる。その内、表示モジュール２２の表示面２２１は、カバー体２１の外部面から露出し、表示モジュール２２の周囲には、発光モジュール２３が環状に設けられる。発光モジュール２３の発光部は、カバー体２１外部面の方向を向いている。取り付け台座２４はカバー体２１の一側に設けられる。
【００１３】
上述の構造と組み合わせによる本考案を使用した時の作動状況について以下に説明を行う。図１と図２を同時に参照する。図１は、本考案の実施例１の斜視図であり、図２は実施例２の斜視図である。図から分かるように、実施例１を使用した時、球型撮影装置１の電源供給モジュール（図示せず）は、それぞれ、表示モジュール１２及び発光モジュール１３に電流を供給して、それぞれを作動させる。表示モジュール１２は、液晶表示機器（ＬＣＤ）、或いは発光ダイオード（ＬＥＤ）表示機器、或いは有機発光ダイオード（ＯＬＥＤ）表示機器の内の一つである。以上により、表示面１２１に生じる文字メッセージにより警告作用を達成することができるとともに、カバー体１１の環状面に環状に設けられた発光モジュール１３により、光が点灯したり、点滅したりして、人の目を引くことができる。
【００１４】
実施例２を使用する際、標準型撮影装置２の電源供給モジュール（図示せず）は、それぞれ、表示モジュール２２及び発光モジュール２３に電流を提供して、それぞれを作動させる。表示モジュール２２は、液晶表示機器（ＬＣＤ）、或いは、発光ダイオード（ＬＥＤ）表示機器、或いは、有機発光ダイオード（ＯＬＥＤ）表示機器の内の一つである。以上により、表示面２２１に生じる文字メッセージにより警告作用を達成することができるとともに、表示面２２１に環状に設けられた発光モジュール２３により、光が点灯したり、点滅したりして、人の目を引くことができる。
【００１５】
また、前記文字メッセージは、外部入力モジュール（図示せず）によって、表示させたい文字メッセージを入力した後、リモートにより球型撮影装置１の表示モジュール１２に送って表示させることができる。また、球型撮影装置１に、メモリ回路基板（図示せず）を設けることもでき、前記メモリ回路基板によって、事前に、前記文字メッセージを保存し、前記表示モジュール１２と電気的に接続して、前記表示モジュール１２に前記文字メッセージを表示させることもできる。
【００１６】
また、球型撮影装置１及び標準型撮影装置２が故障した時、表示モジュール１２、２２及び発光モジュール１３、２３は作動しなくなる。このため、表示モジュール１２、２２及び発光モジュール１３、２３が作動していないことを判断基準として、球型撮影装置１及び標準型撮影装置２が故障していないかどうか判断することができる。以上により、故障の検出が簡単になるとともに、カバー体１１、２１にそれぞれ表示モジュール１２、２２及び発光モジュール１３、２３を設けることで、本考案に、メッセージ伝達機能と警告作用、及び簡易検出機能を備えさせることができる。
【００１７】
全ての図を参照する。本考案を使用すると、従来の技術と比べ、以下の利点が生じる。
【００１８】
１、撮影装置が故障したかどうかは、表示モジュール１２、２２及び発光モジュール１３、２３が作動しているかどうかで判断できるため、故障の検出が簡単になる。
【００１９】
２、撮影装置に、表示モジュール１２、２２及び発光モジュール１３、２３が設けられているため、メッセージ伝達機能と警告作用を備えさせることができる。  
【符号の説明】
【００２０】
１              球型撮影装置
２              標準型撮影装置
１１、２１      カバー体                      
２１１          撮影ユニット                  
１２、２２      表示モジュール
１２１、２２１  表示面
２２２          窓部
１３、２３      発光モジュール
１４、２４      取り付け台座                    
【図１】
0003181291.tif 000003
【図２】
0003181291.tif 000004